(57)【要約】【課題】  便座の本体ケース内への湿気を帯びた空気の滞留による結露水の発生を防止する事を目的とするものである。【解決手段】  便座と便蓋を開閉自在に枢支した本体ケース内に、洗浄ノズルやこの洗浄ノズルに温水を供給する給湯手段、脱臭機構を装着すると共に、本体ケース内に制御用のメイン基板を配置したものにおいて、脱臭機構の脱臭ファンにより本体ケース内の空気を外部に排出する様に構成すると共に、本体ケース内に湿度センサを配置し、該部の湿度が上昇すると脱臭ファンを作動する様に構成して成る。【選択図】        図２
2007092396.tif 000002
【特許請求の範囲】
【請求項１】
便座と便蓋を開閉自在に枢支した本体ケース内に、洗浄ノズルやこの洗浄ノズルに温水を供給する給湯手段、脱臭機構を装着すると共に、上記本体ケース内に制御用のメイン基板を配置したものにおいて、上記脱臭機構の脱臭ファンにより上記本体ケース内の空気を外部に排出する様に構成すると共に、上記本体ケース内に湿度センサを配置し、該部の湿度が上昇すると上記脱臭ファンを作動する事を特徴とする温水洗浄便座。
【請求項２】
便座と便蓋を開閉自在に枢支した本体ケース内に、洗浄ノズルやこの洗浄ノズルに温水を供給する給湯手段、脱臭機構を装着し、かつ上記本体ケースの少なくとも一方の側面に、先端が上記便座の側面に沿って前方に延設する操作部を設けると共に、上記本体ケース内に制御用のメイン基板を配置し、上記操作部内に操作基板を配置したものにおいて、上記脱臭機構の脱臭ファンにより上記本体ケース内の空気を外部に排出する様に構成すると共に、上記本体ケース又は操作部内に湿度センサを配置し、該部の湿度が上昇すると上記脱臭ファンを作動する事を特徴とする温水洗浄便座。
【請求項３】
上記操作基板に湿度センサを装着した事を特徴とする、上記請求項２に記載の温水洗浄便座。
【請求項４】
上記メイン基板に湿度センサを装着した事を特徴とする、上記請求項１又は請求項２に記載の温水洗浄便座。
【発明の詳細な説明】
【技術分野】
【０００１】
本発明は、洗浄ノズルや温水タンクを収納した本体ケースの側面に操作部を設けた温水洗浄便座に関する。
【背景技術】
【０００２】
便座や便蓋を開閉自在に枢支した本体ケース内に、人体に向けて洗浄水を噴射する洗浄ノズルや、この洗浄ノズルに洗浄用の温水を供給する温水タンク、脱臭機構、この脱臭機構や上記洗浄ノズルの出し入れ等を制御する制御回路基板等を収納したものでは、洗浄ノズルに付着した水滴が蒸発して温水タンクや制御回路基板の表面に付着して結露するという問題がある。
【０００３】
そこで、例えば特許文献１に示される様に、脱臭装置の脱臭用ファンを利用して温水洗浄便座内の湿度を帯びた空気を便座の外部に排出し、湿度を帯びた空気の便座内での滞留による結露水の発生を防止するものが提案されている。
【特許文献１】特開２００２−２６６４０６号公報
【発明の開示】
【発明が解決しようとする課題】
【０００４】
一方、上記特許文献１に示された温水洗浄便座では、使用者が温水洗浄便座を使用していると判断されるときに脱臭装置を作動し、温水洗浄便座内の湿度を帯びた空気を外部に排出することで、結露水の発生を防止している為、温水洗浄便座を使用しない場合には、便座内に湿度を帯びた空気が滞留して結露が発生するという問題がある。
【０００５】
そこで本発明は、温水洗浄便座を使用しない場合にも、便座内の湿度を検出し、湿度が高い場合には脱臭機構を作動して結露の発生を防止する事を目的とする。
【課題を解決するための手段】
【０００６】
本発明の請求項１の構成は、便座と便蓋を開閉自在に枢支した本体ケース内に、洗浄ノズルやこの洗浄ノズルに温水を供給する給湯手段、脱臭機構を装着すると共に、本体ケース内に制御用のメイン基板を配置したものにおいて、脱臭機構の脱臭ファンにより本体ケース内の空気を外部に排出する様に構成すると共に、本体ケース内に湿度センサを配置し、該部の湿度が上昇すると脱臭ファンを作動して成るものである。
【０００７】
本発明の請求項２の構成は、便座と便蓋を開閉自在に枢支した本体ケース内に、洗浄ノズルやこの洗浄ノズルに温水を供給する給湯手段、脱臭機構を装着し、かつ本体ケースの少なくとも一方の側面に、先端が便座の側面に沿って前方に延設する操作部を設けると共に、本体ケース内に制御用のメイン基板を配置し、操作部内に操作基板を配置したものにおいて、脱臭機構の脱臭ファンにより本体ケース内の空気を外部に排出する様に構成すると共に、本体ケース又は操作部内に湿度センサを配置し、該部の湿度が上昇すると脱臭ファンを作動する様に構成して成るものである。
【０００８】
本発明の請求項３の構成は、請求項２の構成において、操作基板に湿度センサを装着して成るものである。
【０００９】
本発明の請求項４の構成は、請求項１又は請求項２の構成において、メイン基板に湿度センサを装着して成るものである。
【発明の効果】
【００１０】
本発明の請求項１に記載の構成により、脱臭ファンにより本体ケース内の空気を外部に排出する様に構成すると共に、本体ケース内に湿度センサを配置し、本体ケース内の湿度が所定値以上に上昇すると脱臭ファンを作動して本体ケース内の空気を換気することで、本体ケース内の湿度の上昇による結露の発生を防止し、結露によるメイン基板の故障や耐久性能の低下、各種部品の腐食による劣化等を防止する事が出来るものである。
【００１１】
本発明の請求項２に記載の構成により、本体ケースの側面に操作部を配置したものにおいて、脱臭ファンにより本体ケース内の空気を外部に排出する様に構成すると共に、本体ケース内又は操作部内に湿度センサを配置し、本体ケース内の湿度が所定値以上に上昇すると脱臭ファンを作動して本体ケース内の空気を換気することで、本体ケース内の湿度の上昇による結露の発生を確実に防止し、結露によるメイン基板や操作基板の故障や耐久性能の低下を防止する事が出来るものである。
【００１２】
本発明の請求項３に記載の構成により、操作基板に湿度センサを配置したことで、湿気の影響を受けやすいスイッチ類を配置した操作基板の結露を確実に防止する事が出来るものである。
【００１３】
本発明の請求項４に記載の構成により、メイン基板に湿度センサを配置したことで、湿度センサを装着するための専用基板を配置する必要がないと共に、メイン基板周囲の湿度を検出して脱臭ファンを作動し、本体ケース内の空気を換気することで、メイン基板に樹脂コーティング等の特別な防湿処理を施す必要がなく、コストダウンを図る事が出来るものである。
【発明を実施するための最良の形態】
【００１４】
本発明の実施例を先ず図１に基づき説明すると、１は洋式便器２の上に着脱自在或いは着脱可能に載置された温水洗浄便座で、本体ケース３に便座４と便蓋５を上下方向に開閉自在に枢支している。
【００１５】
又、上記本体ケース３の一方の側面には給水管６を突設し、この給水管にフレキシブルな配管ホース７を接続していると共に、この配管ホースは、分岐水栓８を介して市水等の水道管９に接続している。
【００１６】
上記本体ケース３の一方の側面には、前方が上記便座４の側面に沿って延設された操作部１０を一体的に突設し、この操作部の上面に複数の操作ボタン１１・・や表示器１２等を配置している。
【００１７】
更に、上記本体ケース３内には、図２にて示す様に、内部に後述の温水ヒータを内蔵した給湯手段となる温水タンク１３と、この温水タンクと上記給水管６とを接続する給水配管１４と、洗浄ノズルセット１５と、脱臭機構１６と、メイン基板１７とを主に収納配置していると共に、上記操作部１０内には、操作ボタン１１・・や表示器１２の下方に対向位置して操作基板１８を配置している。
【００１８】
上記洗浄ノズルセット１５は、ノズルベース１９に一対の洗浄ノズル２０，２１を前後方向に伸縮自在に収納し、かつ給湯配管２２により図示しない切替弁を介して上記温水タンク１３に接続され、この温水タンクより洗浄用の温水を供給する。
【００１９】
一方、上記脱臭機構１６は、脱臭用触媒２４と、脱臭ファン２５と、ファンケース２６にて主に構成し、このファンケースは、上記洋式便器２のボウルに対向して開口した第１吸気孔２７と、本体ケース３内に開口した第２吸気孔２８と、これらの吸気孔から吸引した空気を上記脱臭用触媒２４を通過した後、本体ケース３の外に排出する排気孔２９とを設けている。
【００２０】
これにより、脱臭ファン２４の回転時には、第１吸気孔２７より洋式便器２内の臭気をファンケース２６内に吸引して脱臭用触媒２４を通過させ、臭気を除去して排気孔２９より本体ケース３の外に排気すると同時に、第２吸気孔２８より本体ケース３内の空気をファンケース２６内に吸引して排気孔２９より本体ケース３の外に排気する。
【００２１】
図３は、制御手段となる制御回路３０のブロック図を示すもので、商用電源３１にマイクロコンピュータを中心に構成した制御部３２を接続し、かつこの制御部の入出力回路には上記操作基板１８を接続し、入力回路には上記便座４への着座を検出する着座スイッチ３３と、湿度センサ３４と、便座４の温度を検出する温度センサ３５とを接続している。
【００２２】
尚、上記湿度センサ３４は、図２にて示す様に、上記メイン基板１７又は操作基板１８の適所に配置し、湿気の影響を受けやすいこれらメイン基板１７や操作基板１８の周囲の雰囲気の湿度を確実に検出する様に構成しているが、これに限定されることなく、例えばメイン基板１７と温水タンク１３の中間位置や、本体ケース３と操作部１０との連通部分等に配置しても良い。
【００２３】
更に上記商用電源３１には、上記制御部３２の出力にて各々制御するスイッチング素子３６，３７，３８，３９，４０を介して、便座ヒータ４１、温水ヒータ４２、上記切替弁を回転駆動する洗浄モータ４３、脱臭ファン２５、洗浄バルブ４４を接続している。
【００２４】
而して、制御部３２は着座スイッチ３３により便座４への人体の着座を検出すると、スイッチング素子３９を通電して脱臭ファン２５を回転し、操作部１０の操作ボタン１１・・が操作されて洗浄操作が行なわれると、スイッチング素子３８，４０を適宜作動して洗浄モータ４３や洗浄バルブ４４を作動し、洗浄ノズル２０，２１より洗浄水を噴出する。
【００２５】
一方上記制御部３２は、上記温度センサ３５により便座４の温度を検出し、この便座が設定温度に成る様にスイッチング素子３６を制御して便座ヒータ４１への通電を制御する。
【００２６】
更に上記制御部３２は、常時湿度センサ３４により雰囲気の湿度を検出し、空気中の湿度が結露を発生し易い湿度に上昇すると、スイッチング素子３９を制御して脱臭ファン２５を回転し、第２吸気孔２８より本体ケース３並びに操作部１０内の湿った空気をファンケース２６内に吸引して排気孔２９より本体ケース３の外に排気することで、これらを換気し、結露水の発生を防止する。
【００２７】
尚、上記実施例では脱臭ファン２５の回転時には常に第１吸気孔２７と第２吸気孔２８から吸気する様に構成しているが、例えばこれらの吸気孔にシャッターを設け、便座４に人体が着座して脱臭時には第１吸気孔２７のみから吸気し、この時湿度センサ３４にて検出する湿度が所定値以上の場合には第１吸気孔２７と第２吸気孔２８から吸気し、便座４に人体が着座していない場合に湿度が上昇した場合には第２吸気孔２８のみから吸気する様に構成しても良い。
【００２８】
これらの構成により、湿度センサ３４にて本体ケース３や操作部１０内の湿度を常時検出し、湿度が上昇した場合には脱臭ファン２５を回転して本体ケース３内や操作部１０内の湿気を含んだ空気を外部に排出することで、メイン基板１７や操作基板１８等の表面での結露水の発生を防止し、結露水の発生による回路部品やスイッチの誤動作や故障、耐久性能の低下を確実に防止する事が出来るものである。
【００２９】
又、湿度センサ３４を、メイン基板１７又は操作基板１８、或いはこれらの両基板に配置することで、湿度センサ３４専用の取付け基板を設ける必要がなく、湿度センサ３４の取り付けを簡単に行なう事が出来ると共に、これらの基板における結露水の発生を確実に防止する事が出来るものである。
【００３０】
上記実施例ではメイン基板１７と操作基板１８を離れて配置しているが、これらを近接して配置し、どちらか一方の基板に湿度センサ３４を配置する様に構成しても良い。
【００３１】
更に上記実施例では給湯手段として温水タンク１３を配置しているが、給湯手段を瞬間加熱式の熱交換器で構成しても良く、かつ上記実施例では、本体ケース３の一側面に操作部１０を設けているが、操作部を設けず、リモコンにより操作を行なっても良い。
【図面の簡単な説明】
【００３２】
【図１】本発明による実施例を示す斜視図である。
【図２】同じく一部破断による平面図である。
【図３】同じく回路ブロック図である。
【符号の説明】
【００３３】
３    本体ケース
４    便座
５    便蓋
１０  操作部
１３  温水タンク（給湯手段）
１６  脱臭機構
１７  メイン基板
１８  操作基板
２０  洗浄ノズル
２１  洗浄ノズル
２５  脱臭ファン
３４  湿度センサ
【図１】
2007092396.tif 000003
【図２】
2007092396.tif 000004
【図３】
2007092396.tif 000005